(57)【特許請求の範囲】
【請求項１】
循環管路に浴水を循環させるための循環ポンプと、浴水を加熱する加熱ヒータと、微細なごみ及び汚れなる不純物を浴水から濾過する浄化フィルタと、殺菌ランプを保護管内に収納して有する殺菌装置とを配備し、該殺菌装置の後側位置の前記循環管路に、殺菌ランプ又は保護管の破損によって生じた破片を捕集するためのストレーナを独立して設けたことを特徴とする２４時間浄化保温装置の殺菌装置。
【請求項２】
循環管路に浴水を循環させるための循環ポンプと、浴水を加熱する加熱ヒータと、微細なごみ及び汚れなる不純物を浴水から濾過する浄化フィルタと、殺菌ランプを保護管内に収納して有する殺菌装置とを配備し、該殺菌装置は前記浄化フィルタの後側位置の循環管路に配備し、且つ、前記殺菌装置の後側位置の前記循環管路に、殺菌ランプ又は保護管の破損によって生じた破片を捕集するためのストレーナを独立して設けたことを特徴とする２４時間浄化保温装置の殺菌装置。
【請求項３】
循環管路に浴水を循環させるための循環ポンプと、浴水を加熱する加熱ヒータと、微細なごみ及び汚れなる不純物を浴水から濾過する浄化フィルタと、殺菌ランプを保護管内に収納して有する殺菌装置とを配備し、該殺菌装置の流出側位置に、殺菌ランプ又は保護管の破損によって生じた破片を捕集するためのストレーナを装着したことを特徴とする２４時間浄化保温装置の殺菌装置。
【発明の詳細な説明】
【０００１】
【発明の属する技術分野】
本発明は、殺菌装置の殺菌ランプ等の破損に対しても安全にできる２４時間浄化保温装置の殺菌装置に関する。
【０００２】
【従来の技術】
従来の２４時間浄化保温装置に設けた殺菌装置では、オゾン発生手段を用いたり、紫外線を発生させる殺菌ランプが用いられている。該殺菌ランプのユニットの取付位置は、濾材タンクの後段に位置していたため、万が一殺菌ランプ保護管が破損した際、そのガラス片が浴槽内に流出してしまう危険性があった。
【０００３】
【課題を解決するための手段】
そこで発明者は、前記課題を解決することを目的とし、鋭意，研究を重ねた結果、その発明を、循環管路に浴水を循環させるための循環ポンプと、浴水を加熱する加熱ヒータと、微細なごみ及び汚れなる不純物を浴水から濾過する浄化フィルタと、殺菌ランプを保護管内に収納して有する殺菌装置とを配備し、該殺菌装置の後側位置の前記循環管路に、殺菌ランプ又は保護管の破損によって生じた破片を捕集するためのストレーナを独立して設けた２４時間浄化保温装置の殺菌装置としたことにより、オゾンを有効利用して、殺菌効率が優れたものにでき、殺菌装置の寿命を高くすることができ、さらに、万が一殺菌ランプ又は保護管が破損した際、そのガラス状片の捕集ができ浴槽内への流出を防止して安全にでき、しかも、捕集したガラス状片を簡易に取り除けるようにして、前記課題を解決したものである。
【０００４】
【発明の実施の形態】
以下、図面に基づいて実施の形態を説明すると、図１において、浴水浄化循環装置は、主に、浴水を循環させるための循環ポンプ１と、浴水を加熱するシーズヒーター等の加熱ヒーター２と、微細なごみ及び汚れなる不純物を浴水から濾過する浄化フィルタ３と、浴水を殺菌する殺菌装置Ａとから構成されている。その循環ポンプ１，浄化フィルタ３，加熱ヒーター２は、浴槽１１に対して、浴水が循環するように設けた循環管路７にその順に直列に設けられている。
【０００５】
前記浄化フィルタ３は、種類としては、精密浄化フィルタ又は普通浄化フィルタであり、活性石，活性炭を充填したものとして吸着剤濾材浄化フィルタ材として使用したり、或いは、織布又は不織布からなり浄化フィルタ素材から構成するものもある。何れにしても、微細なごみ及び汚れなる不純物を除去するものである。
【０００６】
前記殺菌装置Ａとしては、ランプケーシング５内に、冷陰極線にて構成された殺菌ランプ４が取り付けられている。冷陰極管としては、図６に示すように、殺菌ランプ４の本体なるガラス管内の両端側に電極１０，１０が設けられ、アルゴン等の封入ガス内において電極１０，１０に電圧をかけると電子が水銀電子等にぶつかり紫外線を発生するものである。その殺菌ランプ４は石英管による保護管６にて保護されている。この石英管では、波長１８５nmの紫外線（電磁波）が、石英管に吸収されることがなく、即ち、失透による透過率の低下が少なくなって、外部に有効なる紫外線が照射される。前記殺菌ランプ４及び保護管６の基部箇所の前記ランプケーシング５には、保護管割れ検出手段９の端子が設けられ、前記殺菌ランプ４が破損等した場合を温度検出にて検出可能に構成されている。また、浴水は、前記ランプケーシング５の一側の流入口５ａより流入し、前記保護管６の外を流れ、殺菌ランプ４の照射を受けながら、前記ランプケーシング５の他側の流出口５ｂより流出するように構成されている。
【０００７】
次に、このような殺菌装置Ａを設けた浴水の循環系統としては、図１に示すように、まず、前記循環管路７において、前記浄化フィルタ３の後側位置に殺菌装置Ａが設られ、且つ循環ポンプ１の循環方向は浄化フィルタ３側より殺菌装置Ａ側に流出するようにして構成されている。さらに、殺菌ランプ４の保護管６の破片等を捕集するストレーナ８が設けられている。
【０００８】
具体的には、前記ストレーナ８は、前記殺菌装置Ａに設けられる場合と、循環管路７に設けられる場合とがある。前記殺菌装置Ａに設けられる場合は、図２（Ｂ）に示すように、前記ランプケーシング５の他側の流出口５ｂ箇所に設けられていたり、或いは、図３に示すように、ランプケーシング５の内部適所にフィルタ状のストレーナ８が設けられている。また、循環管路７に設けられる場合は、図１に示すように、前記殺菌装置Ａの後側位置の循環管路７に設けられている。何れの場合でも、前記殺菌ランプ４又は保護管６が破損しても、前記浄化フィルタ３のフィルタ部位に付着せず、簡易にその破片等を取り除くことができる。図中１２は吸入部、１３はジェットノズルを有する排出部、１４は、前記循環管路７の途中箇所を結合する結合管、１５は電磁弁、１６はエジェクタ、１７はオゾン等の戻り配管である。
【０００９】
殺菌装置Ａの殺菌ランプ４をＯＮにしている状態においては、図４に示すように、細菌の細胞膜，細防壁の破損ができ、その内部のＤＮＡの損傷，さらには、オゾンの生成，分解が極めて単時間に繰り返し繰り返しでき、常に、浴水の殺菌作用ができる。特に、破壊と分解とが相互にでき、従来の波長２５４nmのみを使用したオゾンレス管による殺菌作用と比較して、本発明のオゾン管による殺菌効率が格段と優れたものにできる。
【００１０】
前記殺菌ランプ４からは、波長１８５nm，２５４nmの紫外線が照射されるように構成されている。その波長１８５nmでは、酸素からオゾンを生成（▲１▼、▲２▼式）する。
【００１１】
【化学式１】
Ｏ2 （波長１８５nm）→  Ｏ＋Ｏ    （▲１▼式）
Ｏ＋Ｏ2             →  Ｏ3       （▲２▼式）
【００１２】
さらに波長２５４nmはオゾンを分解して活性酸素を生成（▲３▼式）するため、浴水中の有機物を速やかに酸化分解することができる。
【００１３】
【化学式２】
Ｏ3 （波長２５４nm）→  Ｏ2 ＋Ｏ  （▲３▼式）
【００１４】
以上のように、前記冷陰極タイプの殺菌ランプ４において、波長１８５nm，２５４nmの紫外線が照射するようにすると、波長１８５nmの紫外線（電磁波）は、エネルギー順位が高く、特に、細胞膜，細防壁がある場合に、その膜，壁を損傷させる効果があり、且つ、酸素に吸収されやすく、酸素からオゾンを生成し、且つ増殖に係わるＤＮＡに吸収され、そのＤＮＡの増殖機能を破壊（損傷）して殺菌できる。さらに、波長２５４nmの紫外線（電磁波）では、オゾンに吸収されやすく、このオゾンが分解してＯ2 （酸素）とＯ（酸素原子）とになり、該Ｏ（酸素原子）が浴水中の有機物を速やかに酸化分解でき、殺菌ができる。したがって、その波長１８５nm，２５４nmの紫外線（電磁波）では、波長１８５nmによる膜等の破壊効果と、波長２５４nmによる分解効果とが相乗的に作用し、即ち、細胞膜，細防壁の活性種による破裂，分解が起こり、極めて殺菌効果の高い２４時間浄化保温装置における殺菌装置を提供できる。
【００１５】
【実施例】
本発明の殺菌装置Ａの殺菌ランプ４のオゾン管と、オゾンレス管（公知技術）によるＣＯＤ除去試験を行なった。浴水温度（検水）４０℃で、１Ｌ（クエン酸ナトリウム）を入れ、エア流量が０．２５Ｌ／min で、オゾン管の１０ｗにて、波長１８５nm, ２５４nmの紫外線（電磁波）を浴水に照射して行なった。この場合の結果は、図５のグラフでは、◇の印で表示した。オゾンレス管の１０ｗの実験では、浴水条件は同じで、波長２５４nm紫外線（電磁波）のみを浴水に照射して行なった。この場合の結果は、図５のグラフでは、□の印で表示した。
【００１６】
このような実験結果では、オゾン管（本発明）では、初め、浴水のＣＯＤが８ＣＯＤ（ｐｐｍ）であったものが、処理時間と共に、正比例的に確実に減少し、６時間後には、０ＣＯＤ（ｐｐｍ）となった。しかるに、オゾンレス管（公知技術）では、初め、浴水のＣＯＤが８ＣＯＤ（ｐｐｍ）であったものが、処理時間の１時間後でも、殆ど変化せず、２時間後に、７ＣＯＤ（ｐｐｍ）となり、１ＣＯＤ（ｐｐｍ）のみ減少したが、その後、処理時間が経過しても、即ち、７時間後でも、２時間後の７ＣＯＤ（ｐｐｍ）と同一の値となっており、殺菌処理が全く行なわれていないことが分かる。これによって、オゾンレス管（公知技術）では、浴水のＣＯＤの殺菌に対しては殆ど効果のないことが分かる。
【００１７】
【発明の効果】
請求項１の発明では、殺菌ランプ４又は保護管６が何等かの原因にて破損等したときの破片等は、前記ストレーナ８に捕集され、浴槽１１内には流出せず、安全なる入浴ができる利点がある。
【００１８】
請求項２の発明では、前記殺菌ランプ４又は保護管６が破損しても、前記浄化フィルタ３のフィルタ部位に付着せず、簡易にその破片等をストレーナ８にて取り除くことができる利点がある。
【００１９】
請求項３の発明では、前記殺菌装置Ａの殺菌ランプ４又は保護管６が破損しても、前記浄化フィルタ３のフィルタ部位等に付着させず、簡易にその破片等をストレーナ８にて取り除くことができる利点がある。特に、前記殺菌装置Ａに設けているがゆえに、循環管路７はそのままにでき、該循環管路７を簡易にでき、且つ施工費を安価にできる。
【図面の簡単な説明】
【図１】本発明の第１実施の形態を略示した概略図
【図２】（Ａ）は殺菌装置の実施の形態の拡大断面図
（Ｂ）は殺菌装置の別の実施の形態の要部拡大断面図
【図３】殺菌装置の別の実施の形態の拡大断面図
【図４】本発明による細菌の破壊，分解の作用状態を示す概念図
【図５】オゾン管によるＣＯＤ除去試験とオゾンレス管とによるＣＯＤ除去試験とを比較したグラフ
【図６】冷陰極線タイプの殺菌ランプの要部断面図
【図７】熱陰極線タイプの殺菌ランプの要部断面図
【符号の説明】
Ａ…殺菌装置
１…循環ポンプ
２…加熱ヒーター
３…浄化フィルタ
４…殺菌ランプ
６…保護管
７…循環管路
８…ストレーナ
【図１】
0003695851.tif 000002
【図２】
0003695851.tif 000003
【図３】
0003695851.tif 000004
【図４】
0003695851.tif 000005
【図５】
0003695851.tif 000006
【図６】
0003695851.tif 000007
【図７】
0003695851.tif 000008